(57)【要約】【課題】１枚のＩＣカードを用いて、容易に、複数のＩＣカードの機能を利用することが可能なＩＣカードのカード情報提供システムを提供する。【解決手段】ネットワークと、１枚以上のＩＣカードと、カードリーダシステムと、ネットワークと接続されて、１枚以上のＩＣカードの各々に記憶されたカード情報を保持する上位制御部と、カードリーダシステムと接続されるとカードリーダシステムから給電を受けてカードリーダシステムと通信を行い、通信に応じてネットワークと無線通信を行ってネットワークを介して上位制御部へアクセスして上位制御部からカード情報を取得し、カード情報をカードリーダシステムへ送信する通信用ＩＣカードとを備える。【選択図】図１
2010182192.tif 000002
【特許請求の範囲】
【請求項１】
ネットワークと、
１枚以上のＩＣカードと、
カードリーダシステムと、
前記ネットワークと接続されて、前記１枚以上のＩＣカードの各々に記憶されたカード情報を保持する上位制御部と、
前記カードリーダシステムと接続されると前記カードリーダシステムから給電を受けて前記カードリーダシステムと通信を行い、前記通信に応じて前記ネットワークと無線通信を行って前記ネットワークを介して前記上位制御部へアクセスして前記上位制御部から前記カード情報を取得し、前記カード情報を前記カードリーダシステムへ送信する通信用ＩＣカードと
を備えるＩＣカードのカード情報提供システム。
【請求項２】
請求項１に記載のＩＣカードのカード情報提供システムであって、
前記各ＩＣカードと前記通信用ＩＣカードは、接触型ＩＣカードか、非接触型ＩＣカードのいずれかである
ＩＣカードのカード情報提供システム。
【請求項３】
請求項１または請求項２のいずれかに記載のＩＣカードのカード情報提供システムであって、
前記通信用ＩＣカードは、
前記ネットワークと無線通信を行って、前記ネットワークを介して前記上位制御部へアクセスして、前記上位制御部から前記カード情報を取得する無線モジュールと、
前記カードリーダシステムと通信を行い、前記カード情報を前記カードリーダシステムへ送信するＩＣモジュールと、
を備え、
前記ＩＣモジュールと前記無線モジュールは、前記カードリーダシステムへ接続されると、前記カードリーダシステムから給電を受ける
ＩＣカードのカード情報提供システム。
【請求項４】
請求項１から請求項３までのいずれかに記載のＩＣカードのカード情報提供システムであって、
前記上位制御部は、
前記各ＩＣカードに対応する１つ以上の制御部カードリーダと、
前記１つ以上の制御部カードリーダの各々と接続されて、前記通信用ＩＣカードからのアクセスに応じて前記各制御部カードリーダへ順にアクセスして、前記各制御部カードリーダに対応して接続された前記各ＩＣカードから前記カード情報を取得して、前記通信用ＩＣカードへ応答する前記制御装置と
を備えるＩＣカードのカード情報提供システム。
【請求項５】
請求項４に記載のＩＣカードのカード情報提供システムであって、
前記制御装置は、前記各ＩＣカードの前記カード情報を前記各ＩＣカードに対応させて予め記憶して、前記通信用ＩＣカードからのアクセスに応じて、当該記憶しているカード情報のうちから順に前記カード情報を選択して、前記通信用ＩＣカードへ応答する
ＩＣカードのカード情報提供システム。
【請求項６】
請求項１から請求項５までのいずれかに記載のＩＣカードのカード情報提供システムであって、
前記通信用ＩＣカードは、情報を表示する表示部をさらに備える
ＩＣカードのカード情報提供システム。
【請求項７】
請求項１から請求項６までのいずれかに記載のＩＣカードのカード情報提供システムであって、
前記通信用ＩＣカードは、ユーザから入力を受け付ける入力部をさらに備える
ＩＣカードのカード情報提供システム。
【請求項８】
請求項１から請求項７までのいずれかに記載のＩＣカードのカード情報提供システムで使用されるＩＣカード。
【請求項９】
ネットワークと、１枚以上のＩＣカードと、上位制御部と、カードリーダシステムと、通信用ＩＣカードとを備えるＩＣカードのカード情報提供システムにおいて、
前記上制御部を前記ネットワークと接続するステップと、
前記１枚以上のＩＣカードの各々に記憶されたカード情報を保持するステップと、
前記カード情報を用いて所定の処理を行うステップと、
前記通信用ＩＣカードを前記カードリーダシステムへ接続するステップと、
前記カードリーダシステムから給電を受けるステップと、
前記ネットワークと無線通信を行うステップと、
前記ネットワークを介して前記上位制御部へアクセスするステップと、
前記上位制御部から前記カード情報を取得するステップと、
前記カード情報を前記カードリーダシステムへ送信するステップと
を備えるＩＣカードのカード情報提供方法。
【請求項１０】
請求項９に記載のＩＣカードのカード情報提供方法であって、
前記上位制御装置は、制御部カードリーダと、制御装置とを備えており、
前記カード情報を保持するステップは、
前記制御装置を前記１つ以上の制御部カードリーダの各々と接続するステップと、
前記通信用ＩＣカードからのアクセスに応じて前記各制御部カードリーダへ順にアクセスするステップと、
前記各制御部カードリーダに対応して接続された前記各ＩＣカードから前記カード情報を取得するステップと、
を含むＩＣカードのカード情報提供方法。
【請求項１１】
請求項１０に記載のＩＣカードのカード情報提供方法であって、前記カード情報を保持するステップは、
前記各ＩＣカードの前記カード情報を前記各ＩＣカードに対応させて予め記憶するステップと、
前記通信用ＩＣカードからのアクセスに応じて当該記憶しているカード情報のうちから順に前記カード情報を選択するステップと
を含むＩＣカードのカード情報提供方法。
【請求項１２】
請求項９から請求項１１までのいずれかに記載のＩＣカードのカード情報提供方法であって、
情報を表示するステップ
をさらに備えるＩＣカードのカード情報提供方法。
【請求項１３】
請求項９から請求項１２までのいずれかに記載のＩＣカードのカード情報提供方法であって、
ユーザから入力を受け付けるステップ
をさらに備えるＩＣカードのカード情報提供方法。
【発明の詳細な説明】
【技術分野】
【０００１】
本発明は、ＩＣカードのカード情報提供システムに関し、特に、１枚のＩＣカードを用いて複数のＩＣカードの機能や情報を使用することが可能なＩＣカードのカード情報提供システムに関する。
【背景技術】
【０００２】
ＩＣカードが、広く普及している。ＩＣカードは、クレジットカード、銀行のキャッシュカード、あるいは企業における社員証というような、様々な分野で利用されている。ＩＣカードは、演算を行うＣＰＵ（Ｃｅｎｔｒａｌ  Ｐｒｏｃｅｓｓｉｎｇ  Ｕｎｉｔ）と、演算に必要となるプログラムやデータを記憶するメモリと、を組み込んでいる。ＩＣカードは、店舗等に設置されたカードリーダ／ライタ（以下、カードＲＷ）から電源を供給されて、カードＲＷと通信を行って、カードＲＷからの要求に応じて、演算を行ったり、データの送受信を行ったりすることができる。ＩＣカードは、カードＲＷと電気的に接触して使用される接触型カードと、カードＲＷから発射される電磁波による給電を受けて、無線通信を行う非接触型カードとが存在する。ユーザは、ＩＣカードが広く普及するにつれて、複数のＩＣカードを所有することになり、状況に応じてＩＣカードを使い分けなくてはならず不便を強いられるという課題がある。このような、課題を解決するための関連技術として、以下の技術が開示されている。
【０００３】
特許文献１は、様々なサービスに対応する複数のサービスをまとめて１つのカードで利用可能とすると共に、カードの利用にあたって、正当なユーザであることの確認を効率的に実行可能としたデータ処理システムを開示している。
【０００４】
特許文献１のデータ処理システムは、サービス利用に供するサービス情報を格納したデータ記憶手段およびデータ制御手段を有するメモリデバイスと、メモリデバイスの格納情報の読み出し処理を実行し、異なるメモリデバイスまたは異なるサービス情報の関連付け情報としての紐付け情報を生成し、生成した紐付け情報のメモリデバイス内への格納処理により紐付け情報格納メモリデバイスを発行する紐付け情報発行手段と、紐付け情報発行手段の発行した紐付け情報格納メモリデバイス内の紐付け情報を読み出し、読み出した紐付け情報において関連付けされたサービスに対応するサービスの提供処理を実行するカード利用手段と、を備える。
【０００５】
特許文献１のデータ処理システムによれば、様々なサービスの利用を行うために適用するメモリデバイスとしてサービスに対応した複数のカードを有する場合、あるいはカード内に複数のサービス情報が格納されている場合、各カード単位でまたは各カードのサービス情報単位で紐付け処理を実行して１つのカードにまとめることが可能となり、複数のサービスに対応した個々のカードを保持することなく、１枚の紐付け情報格納カードを用いて様々なサービスの適用を受けることが可能となる。
【０００６】
特許文献２は、どのようなデジタルカメラ付き携帯端末であっても装着可能で、かつ、このＩＣカードが方位と位置とを付加した写真を保存して、この撮影方向及び位置付きの写真を提供させることができる撮影位置・方向付き写真提供用ＩＣカードを開示している。
【０００７】
特許文献２の撮影位置・方向付き写真提供用ＩＣカードは、対象物を撮影可能に設けられたデジタルカメラ及び年月日、時刻からなる時刻情報を計測するタイマー並びに表示部を有する携帯端末に、装着される撮影位置・方向付き写真提供用ＩＣカードであって、デジタルカメラの撮影画像が記憶される記憶手段と、ＧＰＳ（Ｇｌｏｂａｌ  Ｐｏｓｉｔｉｏｎｉｎｇ  Ｓｙｓｔｅｍ）信号を受信して位置を計測し、位置を出力するＧＰＳ位置計測部と、デジタルカメラの撮影方向を計測して、その撮影方向を出力する撮影方向計測部と、デジタルカメラのシャッタ信号に同期して、ＧＰＳ位置計測部の位置、タイマーの時刻情報及び撮影方向計測センサーの撮影方向を組み合わせ、これを撮影識別情報として取得する撮影識別情報取得手段と、デジタルカメラからの写真画像の所定位置に撮影識別情報を重ねた画像を生成し、これを撮影識別情報付き写真画像として記憶手段に保存する手段とを有する。
【０００８】
特許文献２の撮影位置・方向付き写真提供用ＩＣカードによれば、デジタルカメラ付き携帯端末機に装着するだけで、例えば災害現場、建築現場、観光地等の写真に撮影位置と撮影方向と年月日、時刻或いは俯角・仰角とが付記された撮影識別情報付き写真画像を保存して提供できるため、閲覧者は、後日、当該写真がどこの位置で何時、どのような方向から撮影したかを直ぐに分かる。
【０００９】
特許文献３は、個人特定カードを容易に入手でき、かつ１枚のカードに複数のアプリケーションをカード保持者の好むように搭載できるサービス提供装置を開示している。
【００１０】
特許文献３のサービス提供装置は、予め所定の機関によって保持者の個人情報が少なくとも記憶された携帯可能電子装置を用いて、携帯可能電子装置を扱う端末装置を介して携帯可能電子装置の保持者へサービスを提供するサービス提供装置において、サービスの提供に関連するアプリケーション情報を記憶している記憶手段と、端末装置からアプリケーションのダウンロードの指示情報及び保持者から送信される各種情報を受信する受信手段と、受信手段によってダウンロードの指示情報が受信されると、受信手段によって受信された携帯可能電子装置に記憶された情報に基づいて、携帯可能電子装置の正当性を確認する第１の確認手段と、この第１の確認手段によって携帯可能電子装置が正当であると確認されると、受信手段によって受信された保持者の暗証情報に基づいて保持者の正当性を確認する第２の確認手段と、この第２の確認手段によって携帯可能電子装置が正当であると確認されると、記憶手段から保持者の希望するアプリケーション情報を読み出す読み出し手段と、この読み出し手段によって読み出されたアプリケーション情報を使用不可能な状態で送信する送信手段と、この送信手段によるアプリケーション情報の送信後、受信手段によってダウンロードが正常に終了したことを示す情報が受信されると、携帯可能電子装置にダウンロードしたアプリケーションを使用不可能な状態から使用可能な状態に変更する変更手段とを有する。
【００１１】
特許文献３によれば、個人特定カードを容易に入手でき、かつ１枚のカードに複数のアプリケーションをカード保持者の好むように搭載できる。
【００１２】
特許文献４は、複数枚の非接触型ＩＣカードを収容するケースにおいて、その内部の１枚のカードについてのみ読み取りを行うことができるようなＩＣカード用ケースを開示している。
【００１３】
特許文献４のＩＣカード用ケースは、複数枚のＩＣカードを収容する複数の区画を有するＩＣカードケースにおいて、区画を仕切る板であって、電磁波遮断シートを有する仕切り板と、ＩＣカードと電磁波遮断シートとを所定の距離離間させるためのセパレータと、を含む。前記セパレータは、ＩＣカード内のアンテナの受信動作を妨げない距離だけ、ＩＣカードと電磁波遮断シートとを離間させるためのセパレータであることを特徴とする。
【００１４】
特許文献４のＩＣカードケースによれば、複数枚のＩＣカードを保持している場合でも、利用者はこれらのＩＣカードを個別に保持する必要がなく１個のカードケースに保管することができる。
【先行技術文献】
【特許文献】
【００１５】
【特許文献１】特開２００３−１６２６９１号公報
【特許文献２】特開２００６−３１４０６６号公報
【特許文献３】特開２００６−１５５６３３号公報
【特許文献４】特開２００８−１６５３２１号公報
【発明の概要】
【発明が解決しようとする課題】
【００１６】
しかしながら、上記の関連技術は、ＩＣカードの備えるメモリの容量や、物理的な大きさによって、使用する事が可能なＩＣカードの数が制限されるという課題がある。また、ＩＣカード内のメモリに多数のＩＣカードの情報を格納することはユーザに手間をとらせ、また、格納されているカード情報を把握しきれなくなるという課題も存在する。
【００１７】
そこで、本発明の目的は、１枚のＩＣカードを用いて、容易に、複数のＩＣカードの機能を利用することが可能なＩＣカードのカード情報提供システムを提供することにある。
また、本発明の目的は、１枚のＩＣカードを用いて、安全、かつ適切に、複数のＩＣカードの機能を利用することが可能なＩＣカードのカード情報提供システムを提供することにある。
【課題を解決するための手段】
【００１８】
本発明のＩＣカードのカード情報提供システムは、ネットワークと、１枚以上のＩＣカードと、カードリーダシステムと、ネットワークと接続されて、１枚以上のＩＣカードの各々に記憶されたカード情報を保持する上位制御部と、カードリーダシステムと接続されるとカードリーダシステムから給電を受けてカードリーダシステムと通信を行い、通信に応じてネットワークと無線通信を行ってネットワークを介して上位制御部へアクセスして上位制御部からカード情報を取得し、カード情報をカードリーダシステムへ送信する通信用ＩＣカードとを備える。
【００１９】
本発明のＩＣカードは、上記のＩＣカードのカード情報提供システムで使用される。
【００２０】
本発明のＩＣカードのカード情報提供方法は、ネットワークと、１枚以上のＩＣカードと、上位制御部と、カードリーダシステムと、通信用ＩＣカードとを備えるＩＣカードのカード情報提供システムにおいて、上制御部をネットワークと接続するステップと、１枚以上のＩＣカードの各々に記憶されたカード情報を保持するステップと、カード情報を用いて所定の処理を行うステップと、通信用ＩＣカードをカードリーダシステムへ接続するステップと、カードリーダシステムから給電を受けるステップと、ネットワークと無線通信を行うステップと、ネットワークを介して上位制御部へアクセスするステップと、上位制御部からカード情報を取得するステップと、カード情報をカードリーダシステムへ送信するステップとを備える。
【発明の効果】
【００２１】
本発明によれば、１枚のＩＣカードを用いて、容易に、複数のＩＣカードの機能を利用することが可能なＩＣカードのカード情報提供システムを提供することができる。
また、本発明によれば、１枚のＩＣカードを用いて、安全、かつ適切に、複数のＩＣカードの機能を利用することが可能なＩＣカードのカード情報提供システムを提供することができる。
【図面の簡単な説明】
【００２２】
【図１】第１実施形態におけるＩＣカードのカード情報提供システムの構成を示す図である。
【図２】第１実施形態における通信用ＩＣカード１の構成を示す図である。
【図３】第１実施形態における制御装置４１の構成を示す図である。
【図４】第１実施形態のＩＣカードのカード情報提供システムにおける読み書き用ＩＣカードの認識動作の動作フローである。
【図５】第１実施形態のＩＣカードのカード情報提供システムにおける通信等ＩＣカード使用時の動作方法の動作フローである。
【図６】第２実施形態における通信用ＩＣカード１の構成を示す図である。
【発明を実施するための形態】
【００２３】
添付図面を参照して、本発明の実施形態によるＩＣカードのカード情報提供システムを説明する。
【００２４】
（第１実施形態）
はじめに、本発明の第１実施形態によるＩＣカードのカード情報提供システムの説明を行う。
【００２５】
[構成の説明]
まず、本実施形態におけるＩＣカードのカード情報提供システムの構成の説明を行う。図１は、本実施形態におけるＩＣカードのカード情報提供システムの構成を示す図である。本実施形態のＩＣカードのカード情報提供システムは、通信用ＩＣカード１と、カードリーダシステム２と、ネットワーク３と、上位制御部４とを備える。
【００２６】
ネットワーク３は、通信用ＩＣカード１と上位制御部４との間で送受信されるデータを転送する。ネットワーク３は、例えば、インターネットである。ネットワーク３は、無線基地局３１を備える。基地局３１は、例えば、無線ＬＡＮ（Ｌｏｃａｌ  Ａｒｅａ  Ｎｅｔｗｏｒｋ）のアクセスポイントである。ネットワーク３と無線基地局３１とは、有線、或いは無線で接続されている。なお、図１において、無線基地局３１は、簡易のために１局のみしか表示していないが、実際には複数の無線基地局３１が存在する。ネットワーク３、および無線基地局３１は、従来技術により構成されるため詳細な説明を省略する。
【００２７】
カードリーダシステム２は、通信用ＩＣカード１に対して所定の処理を行う。ここで、所定の処理とは、認証処理や決済処理等を含む従来のカードリーダシステム２とＩＣカードとの間で行われる処理を示す。カードリーダシステム２は、カードリーダ２１とシステム部２２とを備える。カードリーダ２１とシステム部２２とは、通信回線により接続されており、データ送受信が可能である。カードリーダ２１とシステム部２２は、通常、店舗等に設置されている、あるいは、システム部２２のみが、サービスを提供する企業のサーバルームや、ネットワークセンタ等に設置される。カードリーダ２１は、通信用ＩＣカード１とのインターフェイスである。カードリーダ２１は、接触型の場合、通信用ＩＣカード１と電気的に接続されて、データの送受信を行う。或いは、カードリーダ２１は、非接触型の場合、通信用ＩＣカード１と無線通信によって接続されて、データの送受信を行う。カードリーダ２１は、通信用ＩＣカード１から受信したデータをシステム部２２へ送信し、また、システム部２２から受信したデータを通信用ＩＣカード１へ送信する。システム部２２は、カードリーダ２１から受信したデータに基づいて所定の処理を行う。なお、本実施形態では、カードリーダ２１及び通信用ＩＣカード１のインターフェイスは、接触型であるか非接触型であるかは問わない。このため、以下の説明で、カードリーダ２１と通信ＩＣカード１とが接続されるという場合には、実際に接触して電気的に接続する場合と、接触はせずに無線通信により接続する場合とを含むこととする。
【００２８】
通信用ＩＣカード１は、ネットワーク３へアクセスするための無線通信機能を備えたＩＣカードである。通信用ＩＣカード１は、従来のＩＣカードと同様にカードリーダシステム２のカードリーダ２１に接続してデータの送受信を行う。また、本実施形態の通信用ＩＣカード１は、無線通信により、基地局３１を介してネットワーク３へアクセスことが可能である。
【００２９】
図２は、本実施形態における通信用ＩＣカード１の構成を示す図である。本実施形態における通信用ＩＣカード１は、ＩＣモジュール１１と通信モジュール１２とを備える。ＩＣモジュール１１と通信モジュール１２とは、カードリーダ２１から給電を受けて駆動する。ＩＣモジュール１１は、カードリーダ２１と接続してデータの送受信を行う。通信モジュール１２は、無線基地局３１およびネットワーク３を介して、上位制御部４と接続してデータの送受信を行う。ＩＣモジュール１１と通信モジュール１２は、電気的に接続されている。ＩＣモジュール１１は、カードリーダ２１から受信したデータを、通信モジュール１２へ出力する。通信モジュール１２は、ＩＣモジュール１１から入力したデータを、無線基地局３１およびネットワーク３を介して上位制御部４へ送信する。また、通信モジュール１２は、ネットワーク３および基地局３１を介して上位制御部４から受信したデータを、ＩＣモジュール１１へ出力する。ＩＣモジュール１１は、通信モジュール１２から入力したデータをカードリーダ２１へ送信する。このように、本実施形態における携帯用ＩＣカード１は、カードリーダシステム２と上位制御部４との間のデータの転送を行う。
【００３０】
上位制御部４は、制御装置４１と、制御部カードリーダ群４２と、読み書き用ＩＣカード群４３とを備える。上位制御部４は、読み書き用ＩＣカード群４３の各ＩＣカードとカードリーダシステム２との間で、通信用ＩＣカード１とネットワーク３を介して行われるデータ送受信を中継する。
【００３１】
読み書き用ＩＣカード群４３は、読み書き用ＩＣカードＡ４３１と、読み書き用ＩＣカードＢ４３２と、読み書き用ＩＣカードＣ４３３とを備える。読み書き用ＩＣカード群４３の備えるＩＣカードは、それぞれ、従来のＩＣカードである。読み書き用ＩＣカード群４２の各ＩＣカードは、制御部カードリーダ群４２の各対応するカードリーダに接続して使用される。図１において、読み書き用ＩＣカード群４３は、読み書き用ＩＣカードＡ４３１、Ｂ４３２、Ｃ４３３の３枚のＩＣカードを備えるが、実際には、これより多くのＩＣカードを備えてもよい。読み書き用ＩＣカード群４３の各ＩＣカードは、例えば、銀行のキャッシュカードや、クレジットカードや、企業の社員証や、交通機関の定期カード等、様々なサービスのＩＣカードが適用可能である。なお、読み書き用ＩＣカード群４３の各カードは、接触型でも非接触型でも構わない。
【００３２】
制御部カードリーダ群４２は、制御部カードリーダＡ４２１と、制御部カードリーダＢ４２２と、制御部カードリーダＣ４２３と、を備える。制御部カードリーダ群４２の備える各カードリーダは、従来のカードリーダである。制御部カードリーダ群４２の各カードリーダは、対応する読み書き用ＩＣカード群４２の各ＩＣカードと接続してデータの送受信を行う。制御部カードリーダ群４２の各カードリーダは、制御装置４１と通信回線で接続されている。制御部カードリーダ群４２の各カードリーダは、制御装置４１から受信したデータを、読み書き用ＩＣカード群４３の接続された各ＩＣカードへ送信する。制御部カードリーダ群の各カードリーダは、読み書き用ＩＣカード群４３の各ＩＣカードから受信したデータを制御装置４１へ送信する。
【００３３】
制御装置４１は、パーソナルコンピュータである。図３は、本実施形態における制御装置４１の構成を示す図である。制御装置４１は、制御部４１１と、記憶部４１２と、入出力部４１３と、通信部４１４と、制御部ＩＣモジュール４１５と、カードリーダインターフェイス（以下、カードリーダＩＦ）４１６とを備える。これらの構成部位は、それぞれ電気的に接続されている。
【００３４】
記憶部４１２は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）等で構成される。記憶部４１２は、制御装置４１の機能を実現する処理用プログラムや、制御装置４１の機能の実現に必要な各種データを記憶している。
【００３５】
制御部４１１は、ＣＰＵ（Ｃｅｎｔｏｒａｌ  Ｐｒｏｃｅｓｓｉｎｇ  Ｕｎｉｔ）で構成される。制御部は、記憶部４１２に記憶された処理用プログラムを読み込んで実行することによって、制御装置４１の機能を実現する。
【００３６】
入出力部４１３は、マウスや、キーボードや、ＬＣＤ（Ｌｉｑｕｉｄ  Ｃｒｙｓｔａｌ  Ｄｉｓｐｌａｙ）で構成される。入出力部４１３は、ユーザとの入出力インターフェイスである。
【００３７】
通信部４１４は、ネットワーク３と接続される。通信部４１４は、ネットワーク３を介して通信用ＩＣカード１とデータの送受信を行う。通信部４１４は、ネットワーク３で使用される通信プロトコルを用いて、ネットワーク３で通信を行うことが可能である。
【００３８】
カードリーダＩＦ４１６は、制御部カードリーダ群４２の各カードリーダとの通信ＩＦである。
【００３９】
制御部ＩＣモジュール４１５は、カードリーダシステム２からの要求を、制御部カードリーダ群４２の各カードリーダへ順に転送する。本実施形態において、カードリーダシステム２は、通信用ＩＣカード１を介して、読み書き用ＩＣカード群の複数のＩＣカードとデータ送受信を行う。そのため、制御装置４１は、カードリーダシステム２から受信する要求が、読み書き用ＩＣカード群４３のうちのずれのＩＣカードに対するものであるのかを特定する必要が生じる。制御部ＩＣモジュール４１５は、制御部ＩＣモジュール４１５は、通信部４１４を介して受信したカードリーダシステム２からの要求を一時的に記憶して、当該要求を読み書き用ＩＣカード群のＩＣカードの一つずつへ順に転送する。つまり、制御部ＩＣモジュール４１５は、読み書き用ＩＣカード群の全てのＩＣカードへ総当りでデータの転送を行う。このようにして、制御部ＩＣモジュール４１５は、読み書き用ＩＣカード群４３のうちの適切なＩＣカードとカードリーダシステム２との間でデータの送受信を実現する。
【００４０】
以上が、本実施形態におけるＩＣカードのカード情報提供システムの構成の説明である。本実施形態のＩＣカードのカード情報提供システムは、通信用ＩＣカードと上位制御部４とが、ネットワークを介して通信を行えるように構成している。そのため、通信用ＩＣカード１を１枚使用するだけで、読み書き用ＩＣカード群４３に含まれる複数のＩＣカードのデータや機能を利用することができる。
【００４１】
[動作方法の説明]
次に、本実施形態のＩＣカードのカード情報提供システムにおける動作方法の説明を行う。まず、本実施形態のＩＣカードのカード情報提供システムにおける読み書き用ＩＣカードの認識動作の動作方法の説明を行う。図４は、本実施形態のＩＣカードのカード情報提供システムにおける読み書き用ＩＣカードの認識動作の動作フローを示している。
【００４２】
（ステップＳ１０）
ユーザは、制御装置４１を起動する。制御部カードリーダ群４２の各カードリーダは、制御装置４１が起動されると同時に起動する。制御装置４１の制御部ＩＣモジュール４１５は、カードリーダＩＦ４１６を介して、制御部カードリーダ群４１の各カードリーダが接続されていることを認識する。制御部カードリーダ群４１の各カードリーダは、起動が完了すると、ＩＣカードの接続を待って待機する。
【００４３】
（ステップＳ２０）
ユーザは、使用したい読み書き用ＩＣカード群のＩＣカードを、対応する制御部カードリーダ群４１のカードリーダへ接続する。前述のとおり、ここでの接続は、接触型ＩＣカードによる接続と、非接触型ＩＣカードによる接続とを含む。本実施形態では、読み書き用ＩＣカードＡ４３１、Ｂ４３２、Ｃ４３３の３枚の読み書き用ＩＣカードが、それぞれ対応する制御部カードリーダＡ４２１、Ｂ４２２、Ｃ４２３に接続される。
【００４４】
（ステップＳ３０）
制御部カードリーダ群４１の各カードリーダのうちで、読み書き用ＩＣカード群４１のＩＣカードを接続されたカードリーダは、制御装置の制御部ＩＣモジュール４１５へ、ＩＣカードが接続された旨を通知する。制御部ＩＣモジュール４１５は、制御部カードリーダ群４１のカードリーダへ、読み書き用ＩＣカード群４１のＩＣカードが接続されたことを認識する。本実施形態において、制御部ＩＣモジュール４１５は、制御部カードリーダＡ４２１、Ｂ４２２、Ｃ４２３に読み取り用ＩＣカードが接続されたことを認識する。
【００４５】
（ステップＳ４０）
制御部ＩＣモジュール４１５は、通信用ＩＣカード１からのアクセスを待って、待機する。
【００４６】
以上が、本実施形態のＩＣカードのカード情報提供システムにおける読み書き用ＩＣカードの認識動作の動作方法の説明である。このように、ユーザは、予め使用したいＩＣカードを、制御部カードリーダ群のカードリーダへ接続しておく。制御装置４１５のＩＣモジュールは、制御部カードリーダ群４２のいずれのカードリーダに、読み書き用ＩＣカードが接続されたかを認識して、通信用ＩＣカードからのアクセスを待って待機する。ユーザは、制御部カードリーダ群４２のカードリーダに、使用した読み書き用ＩＣカードを接続するだけであるので、容易に事前準備を完了できる。なお、本実施形態において制御部カードリーダ群４２のカードリーダを３台設置しているが、これより、多くのカードリーダを設置することによって、より多くの読み書き用ＩＣカードを接続することが可能である。
【００４７】
次に、本実施形態のＩＣカードのカード情報提供システムにおける通信用ＩＣカード使用時の動作方法の説明を行う。図５は、本実施形態のＩＣカードのカード情報提供システムにおける通信等ＩＣカード使用時の動作方法の動作フローを示している。
【００４８】
（ステップＳ１００）
ユーザは、銀行や店舗等に設置されるカードリーダシステム２のカードリーダ２１へ、通信用ＩＣカード１を接続する。前述のとおり、ここでの接続は、接触型ＩＣカードによる接続と、非接触型ＩＣカードによる接続とを含む。
【００４９】
（ステップＳ１１０）
通信用ＩＣカード１は、カードリーダ２１から電力を供給されて、ＩＣモジュール１１と、通信モジュール１２とを起動する。
【００５０】
（ステップＳ１２０）
通信用ＩＣカード１の通信モジュール１２は、無線基地局３１と無線通信を行ってネットワーク３へアクセスする。
【００５１】
（ステップＳ１３０）
通信用ＩＣカード１の通信モジュール１２は、ネットワーク３を介して、上位制御部４の制御装置４１へアクセスする。制御装置４１の制御部ＩＣモジュール４１５は、通信部４１４を介して、通信用ＩＣカード１の通信モジュール１２からのアクセスを受け付ける。これによって、カードリーダシステム２と上位制御部４とは、通信用ＩＣカード１とネットワーク３とを介して、データの送受信を行うことを可能になる。
【００５２】
（ステップＳ１４０）
カードリーダシステム２と上位制御部４とは、通信用ＩＣカード１を介してデータの送受信を行って、所定の処理を行う。通信用ＩＣカード１は、カードリーダシステム２と上位制御部４との間で送受信されるデータを中継する。カードリーダシステム２のシステム部２２は、上位制御部４の読み書き用ＩＣカード群の各ＩＣカードとデータの送受信を行って所定の処理を行う。通信用ＩＣカード１は、カードリーダ１を介してシステム部２２から受信する要求や、応答や、或いは読み込みデータや書き込みデータ（以下、これらをまとめて処理用データと呼ぶ）を、ネットワーク３を介して上位制御部４の制御装置４１へ送信する。制御装置４１の制御部ＩＣモジュール４１５は、通信部４１４を介して通信用ＩＣカード１から受信する処理用データを、カードリーダＩＦ４１６と制御部カードリーダ群４２の各カードリーダとを介して、読み書き用ＩＣカード群４３の各ＩＣカードへ送信する。また、制御装置４１の制御部ＩＣモジュール４１５は、カードリーダＩＦ４１６と制御部カードリーダ群４２の各カードリーダとを介して、読み書き用ＩＣカード群４３の各ＩＣカードから受信する処理用データを、通信部４１４を介して通信用ＩＣカード１へ送信する。通信用ＩＣカード１は、ネットワーク３を介して上位制御部４の制御装置４１から受信する処理用データを、カードリーダ２１を介してシステム部２２へ送信する。
なお、制御部ＩＣモジュール４１５は、処理用データを、読み書き用ＩＣカードが接続されている制御部カードリーダ群４２の全てのカードリーダへ、順に転送する。すなわち、本実施形態において、制御部ＩＣモジュール４１５は、処理データを、まず、制御部カードリーダＡ４２１を介して、読み書き用ＩＣカードＡ４３１へ送信する。次に、制御部ＩＣモジュール４１５は、処理データを、制御部カードリーダＢ４２２を介して、読み書き用ＩＣカードＢ４３２へ送信する。そして、制御部ＩＣモジュール４１５は、処理データを、制御部カードリーダＣ４２３を介して、読み書き用ＩＣカードＣ４３３へ送信する。このように、全てのカードリーダへ順に処理用データを転送することによって、当該処理を行うカードリーダシステム２に対応する適切な読み書き用ＩＣカードへ処理用データを転送することができる。なお、制御部ＩＣモジュール４１５は、カードリーダシステム２と読み書き用ＩＣカード群４３のＩＣカードとの間の処理用データを参照して、読み書き用ＩＣカード群のＩＣカードのうちで、当該カードリーダシステム２に対して適切なＩＣカードを判定して、そのＩＣカードにのみ処理用データを転送してもよい。
【００５３】
（ステップＳ１５０）
カードリーダシステム２と上位制御部４とは、所定の処理を完了する。すなわち、カードリーダシステム２のシステム部２と、読み書き用ＩＣカード分４３のうちの対象となるＩＣカードとは、所定の処理を完了する。
【００５４】
（ステップＳ１６０）
通信用ＩＣカード１は、上位制御部４への通信を切断する。
【００５５】
（ステップＳ１７０）
ユーザが、カードリーダ２１と通信用ＩＣカード１との接続を開放する。
【００５６】
（ステップＳ１８０）
通信用ＩＣカード１のＩＣモジュール１１と通信モジュール１２は、カードリーダからの給電を絶たれて停止する。
【００５７】
以上が、本実施形態のＩＣカードのカード情報提供システムにおける通信用ＩＣカード使用時の動作方法の説明である。なお、ステップＳ１６０からステップＳ１８０までは、この動作フローの順序であるとは限らない。このように、通信用ＩＣカード１は、カードリーダ２１に接続すると、ネットワーク３を介して上位制御部４へアクセスする。上位制御部４の制御装置４１は、予め、制御部カードリーダ群４２を介して読み書き用ＩＣカード群４３の各ＩＣカードを認識している。通信用ＩＣカード１がネットワーク３を介して上位制御部４と通信を行うことで、カードリーダシステム２は、読み書き用ＩＣカード群４３のうちの適正なＩＣカードと処理用データの送受信をおこなって所定の処理を行うことができる。
【００５８】
以上が、本実施形態におけるＩＣカードのカード情報提供システムの説明である。
【００５９】
（第２実施形態）
次に、本発明の第２実施形態によるＩＣカードのカード情報提供システムの説明を行う。
【００６０】
本実施形態におけるＩＣカードのカード情報提供システムは、第１実施形態と基本的な構成は同様である。そのため、第１実施形態と異なる部分を中心に説明を行う。本実施形態におけるＩＣカードのカード情報提供システムは、通信用ＩＣカード１の構成が、第１実施形態と異なる。
【００６１】
図６は、本実施形態における通信用ＩＣカード１の構成を示す図である。本実施形態における通信用ＩＣカード１は、第１実施形態と同様に、ＩＣモジュール１１と、通信モジュール１２とを備え、さらに表示部１３と、入力部１４とを備える。なお、ＩＣモジュール１１と通信モジュール１２は、第１実施形態と同様であるので説明を省略する。
【００６２】
表示部１３は、ＬＣＤ（Ｌｉｑｕｉｄ  Ｃｒｙｓｔａｌ  Ｄｉｓｐｌａｙ）で構成される。表示部１３は、通信用ＩＣカードの処理に関する表示を行う。また、入力部１４は、入力用のキーで構成される。入力部１４は、通信用ＩＣカード１におけるユーザの入力インターフェイスである。
【００６３】
表示部１３は、読み書き用ＩＣカード群４３のうち、カードリーダシステム２が処理を行っているＩＣカードのカード番号を表示する。通信用ＩＣカード１のＩＣモジュール１１は、現在、通信用ＩＣカード１がデータの転送を行っている読み書き用ＩＣカードのカード番号を、転送しているデータから取得して表示部１３へ表示する。これによって、通信用ＩＣカード１のユーザは、現在、カードリーダシステム２が処理を行っている読み書き用ＩＣカードのカード番号を、表示部１３において確認することができる。そのため、例えば、ユーザは、カードリーダシステム２における処理にエラーが発生した場合に、適切な読み書き用ＩＣカードのデータを用いて処理を行っているのかを確認することができる。また、通信用ＩＣカード１は、カードリーダ２１に接続されて、データを転送しているときにのみカード番号を表示するため、不用意に他人にカード番号を読み取られる危険を避けることができる。
【００６４】
また、通信用ＩＣカード１のＩＣモジュール１１は、通信モジュール１２がネットワーク３へアクセスするときに、アクセスに対する認証キーの入力画面を表示部１３へ表示して、ユーザに認証キーの入力を促しても良い。或いは、ＩＣモジュールは、制御装置４１へのログインに際して、ログインに必要なＩＤや暗証番号の入力画面を表示部１３に表示して、ユーザへ入力を促しても良い。また、ＩＣモジュール１１は、カードリーダシステム２が処理を行っている読み書き用ＩＣカードの暗証番号の入力画面を表示部１３へ表示してもよい。さらに、上位制御部４の制御装置４１に、読み書き用ＩＣカード群４３のそれぞれのＩＣカードに対応する選択番号を予め登録しておき、通信用ＩＣカード１が上位制御部４へ接続するときに、いずれの読み書き用ＩＣカードを使用するのかを選択するための選択画面を表示部１３へ表示してもよい。ユーザは、これら、表示部１３の表示に応じて、入力部１４から暗証番号等を入力する。ＩＣモジュール１３は、入力部１４からの入力を検知して、カードリーダシステム２や、上位制御部４へ、入力された情報を送信する。このように構成することで、ユーザは、１枚の通信用ＩＣカードを携帯して使用するだけで、複数の読み書き用ＩＣカードのデータや機能を、より安全かつ適切に使用する事が可能となる。
【００６５】
以上が、第２実施形態の説明である。上述の説明以外の部分については、第１実施形態と同様であるので説明を省略する。なお、本実施形態において、通信用ＩＣカード１は、表示部１３と入力部１４とを同時に備える必要はない。通信用ＩＣカード１は、表示部１３のみ、あるいは入力部１４のみを備えても構わない。
【００６６】
ここで、第１実施形態、第２実施形態を通して、読み書き用ＩＣカード群４３の各ＩＣカードは、制御部カードリーダ群４２のそれぞれ対応する各カードリーダへ接続するとしている。しかし、実際にはこれに限らない。例えば、制御装置４１の制御部ＩＣモジュール４１５が、制御部カードリーダに接続された複数の読み書き用ＩＣカードの情報を記憶しても良い。この場合、制御部ＩＣモジュール４１５は、カードリーダシステム２からの要求に応じて、記憶している読み書き用ＩＣカードのカード情報を用いて、処理を行って、カードリーダシステム２へ応答を行えばよい。このように構成すれば、制御部カードリーダ群４２のカードリーダを多数用意する必要が無くなる。また、制御装置４１が、ネットワーク３上の情報提供サーバとして設置されれば、ユーザは、制御部ＩＣモジュール４１５へ多数の読み書き用ＩＣカードのカード情報を記憶することで、これら多数の読み書き用ＩＣカードの機能やデータを、容易、かつ的確で安全に、いつでも利用することが可能となる。
【００６７】
以上、実施形態を参照して本願発明を参照したが、本願発明は上記の実施形態に限定されるものではない。本願発明の構成や詳細には、本願発明の範囲内で当業者が理解し得る様々な変更を行うことができる。
【符号の説明】
【００６８】
１  通信用ＩＣカード
２  カードリーダシステム
３  ネットワーク
４  上位制御部
１１  ＩＣモジュール
１２  通信モジュール
１３  表示部
１４  入力部
２１  カードリーダ
２２  システム部
３１  無線基地局
４１  制御装置
４２  制御部カードリーダ群
４３  読み書き用ＩＣカード群
４１１  制御部
４１２  記憶部
４１３  入出力部
４１４  通信部
４１５  制御部ＩＣモジュール
４１６  カードリーダＩＦ
４２１  制御部カードリーダＡ
４２２  制御部カードリーダＢ
４２３  制御部カードリーダＣ
４３１  読み書き用ＩＣカードＡ
４３２  読み書き用ＩＣカードＢ
４３３  読み書き用ＩＣカードＣ
【図１】
2010182192.tif 000003
【図２】
2010182192.tif 000004
【図３】
2010182192.tif 000005
【図４】
2010182192.tif 000006
【図５】
2010182192.tif 000007
【図６】
2010182192.tif 000008